(57)【要約】【課題】コピープロテクションの秘密情報を開示することなく、コピープロテクションがされた信号と他の信号とを別々に送出し、二つの信号を光ディスクの二つのセッションにそれぞれ記録する。【解決手段】マスターリーダ１からのマスター信号がコピープロテクションＣＤエンコーダ２に入力され、ＣＤエンコーダ２によって、ＣＩＲＣの処理と、ＥＦＭ変調と、コピープロテクションの処理とがなされ、コピープロテクションがかかったＣＤフォーマット信号が第１セッションに記録される。マスタリーダ５は、ＣＤ−ＲＯＭデータとＰＩＤの元の信号とをＣＤエンコーダ６に対して出力する。ＣＤエンコーダ６は、ＣＩＲＣの処理と、ＥＦＭ変調とを行い、ＣＤエンコーダ６の出力信号が第２セッションに記録される。スイッチ部３が二つの信号を切り替える。反射膜被覆後に元になる信号を加工することでＰＩＤが追加記録される【選択図】  図５
2004206786.tif 000002
【特許請求の範囲】
【請求項１】
光ディスクの第１および第２の領域にそれぞれ記録されるディジタル信号を送出する信号送出装置において、
コピープロテクションがなされたディジタル信号を第１の領域に記録される第１のディジタル信号として送出する第１の信号系と、
アプリケーションソフトウェアのデータと、光ディスクの個別情報の元になる情報とからなるディジタル信号を第２の領域に記録される第２のディジタル信号として送出する第２の信号系と、
上記第１の信号系から送出される上記第１のディジタル信号と上記第２の信号系から送出される上記第２のディジタル信号とを第１および第２の領域の境界近傍で切り替える切り替え部と
からなる信号送出装置。
【請求項２】
請求項１において、
上記光ディスクが読み出し専用タイプであり、上記個別情報は、反射膜の被覆後に上記元になる情報を加工することによって追加記録されるものである信号送出装置。
【請求項３】
請求項１において、
上記第２の信号系は、さらに、上記第１のディジタル信号の圧縮データを含む第２のディジタル信号を送出し、上記アプリケーションソフトウェアが上記圧縮データをコンピュータで再生するソフトウェアであり、上記個別情報によって認証が成功した場合にのみ、上記圧縮データがコンピュータで再生可能とされた信号送出装置。
【請求項４】
請求項１において、
上記コピープロテクションは、民生用の再生装置による再生を許容し、コンピュータおよび光ディスクドライブによる再生を禁止するものである信号送出装置。
【請求項５】
請求項１において、
上記第１の領域は、第１のリードインエリアあるいは第１のリードインエリアとポーズとからなり、上記第２の領域は、第１のプログラムエリアと第１のリードアウトエリア、第２のリードインエリアと第２のプログラムエリアと第２のリードアウトエリアとからなり、上記切り替え部が上記第１のリードインエリアと上記第１のポーズエリアとからなる領域内で上記第１および第２のディジタル信号を切り替える信号送出装置。
【請求項６】
請求項１において、
上記第１の領域は、第１のリードインエリアと第１のプログラムエリアと第１のリードアウトエリアとからなり、上記第２の領域は、第２のリードインエリアと第２のプログラムエリアと第２のリードアウトエリアとからなり、上記切り替え部が上記第１のリードアウトエリアと上記第２のリードインエリアとからなる領域内で上記第１および第２のディジタル信号を切り替える信号送出装置。
【請求項７】
請求項１において、
上記第１の領域は、第１のリードインエリアと第１のプログラムエリアと第１のリードアウトエリアとからなり、上記第２の領域は、第２のリードインエリアと第２のプログラムエリアと第２のリードアウトエリアとからなり、上記切り替え部が上記第２のプログラムエリア内の最初のポーズ領域内で上記第１および第２のディジタル信号を切り替える信号送出装置。
【請求項８】
光ディスクの第１および第２の領域にそれぞれ記録されるディジタル信号を送出する信号送出装置において、
第１のコピープロテクションがなされたディジタル信号を第１の領域に記録される第１のディジタル信号として送出する第１の信号系と、
上記第１のコピープロテクションと異なる第２のコピープロテクションがなされたディジタル信号を第２の領域に記録される第２のディジタル信号として送出する第２の信号系と、
上記第１の信号系から送出される上記第１のディジタル信号と上記第２の信号系から送出される上記第２のディジタル信号とを第１および第２の領域の境界近傍で切り替える切り替え部と
からなる信号送出装置。
【請求項９】
第１および第２の領域を有する光ディスクのマスタリング装置において、
コピープロテクションがなされたディジタル信号を第１の領域に記録される第１のディジタル信号として送出する第１の信号系と、
アプリケーションソフトウェアのデータと、光ディスクの個別情報の元になる情報とからなるディジタル信号を第２の領域に記録される第２のディジタル信号として送出する第２の信号系と、
上記第１の信号系から送出される上記第１のディジタル信号と上記第２の信号系から送出される上記第２のディジタル信号とを第１および第２の領域の境界近傍で切り替える切り替え部と、
上記切り替え部からの上記第１および第２のディジタル信号によって強度が変調されたレーザ光を感光記録媒体に照射する記録部と
からなるマスタリング装置。
【請求項１０】
請求項９において、
上記光ディスクが読み出し専用タイプであり、上記個別情報は、反射膜の被覆後に上記元になる情報を加工することによって追加記録されるものであるマスタリング装置。
【請求項１１】
請求項９において、
上記第２の信号系は、さらに、上記第１のディジタル信号の圧縮データを含む第２のディジタル信号を送出し、上記アプリケーションソフトウェアが上記圧縮データをコンピュータで再生するソフトウェアであり、上記個別情報によって認証が成功した場合にのみ、上記圧縮データがコンピュータで再生可能とされたマスタリング装置。
【請求項１２】
請求項９において、
上記コピープロテクションは、民生用の再生装置による再生を許容し、コンピュータおよび光ディスクドライブによる再生を禁止するものであるマスタリング装置。
【請求項１３】
請求項９において、
上記第１の領域は、第１のリードインエリアあるいは第１のリードインエリアとポーズとからなり、上記第２の領域は、第１のプログラムエリアと第１のリードアウトエリア、第２のリードインエリアと第２のプログラムエリアと第２のリードアウトエリアとからなり、上記切り替え部が上記第１のリードインエリアと上記第１のポーズエリアとからなる領域内で上記第１および第２のディジタル信号を切り替えるマスタリング装置。
【請求項１４】
請求項９において、
上記第１の領域は、第１のリードインエリアと第１のプログラムエリアと第１のリードアウトエリアとからなり、上記第２の領域は、第２のリードインエリアと第２のプログラムエリアと第２のリードアウトエリアとからなり、上記切り替え部が上記第１のリードアウトエリアと上記第２のリードインエリアとからなる領域内で上記第１および第２のディジタル信号を切り替えるマスタリング装置。
【請求項１５】
請求項９において、
上記第１の領域は、第１のリードインエリアと第１のプログラムエリアと第１のリードアウトエリアとからなり、上記第２の領域は、第２のリードインエリアと第２のプログラムエリアと第２のリードアウトエリアとからなり、上記切り替え部が上記第２のプログラムエリア内のポーズ領域内で上記第１および第２のディジタル信号を切り替えるマスタリング装置。
【請求項１６】
第１および第２の領域を有する光ディスクのマスタリング装置において、
第１のコピープロテクションがなされたディジタル信号を第１の領域に記録される第１のディジタル信号として送出する第１の信号系と、
上記第１のコピープロテクションと異なる第２のコピープロテクションがなされたディジタル信号を第２の領域に記録される第２のディジタル信号として送出する第２の信号系と、
上記第１の信号系から送出される上記第１のディジタル信号と上記第２の信号系から送出される上記第２のディジタル信号とを第１および第２の領域の境界近傍で切り替える切り替え部と、
上記切り替え部からの上記第１および第２のディジタル信号によって強度が変調されたレーザ光を感光記録媒体に照射する記録部と
からなるマスタリング装置。
【発明の詳細な説明】
【０００１】
【発明の属する技術分野】
この発明は、例えば読み出し専用（ＲＯＭ）タイプの光ディスクのマスタリング装置に対して適用される信号送出装置およびマスタリング装置に関する。
【０００２】
【従来の技術】
光ディスク例えばＣＤ（Compact Disc)を作成する場合には、従来では、３／４インチの業務用ＶＴＲとＰＣＭデータをＶＴＲによってテープに記録し、また、テープか再生できる形式に変換するＰＣＭプロセッサとが使用されている。すなわち、マスターテープをＶＴＲによって再生し、ＰＣＭプロセッサによってＰＣＭオーディオデータへ変換し、ＣＤ用信号発生器（ＣＤエンコーダと適宜称する）にＰＣＭオーディオデータを供給し、ＣＤエンコーダからサブコードを含むＣＤフォーマットの信号を発生している。最近では、テープの代わりに、ＣＤ−Ｒ(Recordable)が使用されることが多くなりつつある。
【０００３】
図６は、従来のＣＤまたはＣＤ−ＲＯＭを作成するシステムの一例を概略的に示す。参照符号１１がマスタテープまたはＣＤ−Ｒのデータを再生するマスターリーダを示す。マスターリーダ１１からのマスター信号がＣＤエンコーダ１２に入力される。ＣＤエンコーダ１２は、ＣＩＲＣ(Cross Interleaved Reed Solomon Code) と称されるエラー訂正符号化の処理と、サブコードの発生と、ＥＦＭ変調（eight to fourteen modulation）の処理とを行い、フレームシンク、サブコードを含むＣＤフォーマット信号を出力する。
【０００４】
ＣＤフォーマット信号がカッティングシステム１３に対して入力される。カッティングシステム１３では、感光記録剤としてのフォトレジストが塗布されたガラス原盤がターンテーブル上に置かれ、ターンテーブルが回転され、ガスレーザからのレーザビームが光変調器に入力され、光変調器において、ＣＤフォーマット信号によってレーザビームの強度が変調される。強度が変調されたレーザビームによってフォトレジストが露光される。さらに、図示を省略するが、フォトレジストの現像処理等によって、メタルマスターが作成され、さらに、スタンパが作成される。そして、スタンパを使用して射出成形法によってディスク基板が製造される。ディスク基板に対して反射膜が被覆され、さらに、保護膜が被覆されることによってＣＤ、ＣＤ−ＲＯＭが生産される。
【０００５】
参照符号１４は、カッティングシステム１３を制御するコントローラを示す。コントローラ１４は、カッティングシステム１３のみならず、マスターリーダ１１を制御し、マスターの読み出しとカッティング動作とが同期するように制御される。すなわち、カッティングシステム１３において、ガラス原盤が載せられたターンテーブルが適正な回転速度となり、レーザの照射位置が適正な箇所に移動し、マスターリーダ１１の準備が整った時に、カッティングシステム１３がコントローラ１４に対してスタート信号を出力する。コントローラ１４がマスターリーダ１１に対して読み出し開始を指示する。その後、コントローラ１４の制御によって、マスターリーダ１１とカッティングシステム１３とが調相される。
【０００６】
図７は、ＣＤまたはＣＤ−ＲＯＭを作成するシステムの他の例を概略的に示す。マスターリーダ２１がマスターのテープまたはＣＤ−Ｒ等の光ディスクを再生する。マスターリーダ２１からのマスター信号がコピープロテクションＣＤエンコーダ２２に供給される。コピープロテクションＣＤエンコーダ２２は、基本的には、ＣＤフォーマット信号であるが、特殊な信号処理を受けており、何ら処理しない場合には、コピー例えばパーソナルコンピュータへのコピーが不可能な信号を発生する。コピープロテクションＣＤエンコーダ２２は、通常、コピープロテクション方法が破られるのを防止するために、その構成が秘密とされているのが普通である。
【０００７】
コピープロテクションがなされたディジタル信号がカッティングシステム２３に対して入力される。カッティングシステム２３において、ガラス原盤上のフォトレジストが露光される。さらに、スタンパが作成され、スタンパを使用した射出成形法によってディスク基板が製造され、反射膜および保護膜が被覆されることによってＣＤ、ＣＤ−ＲＯＭが生産される。上述したように、カッティングシステム２３のカッティング動作と、マスターリーダ２１の読み出し動作とが同期するように、コントローラ２４によって両者が制御される。
【０００８】
さらに、読み出し専用の光ディスクでありながら、ディスク１枚毎に個別情報を追加記録することが下記の特許文献１に記載されている。この特許文献１では、追加記録領域が設定され、反射膜が被着された後に、追加記録領域内の所定位置の反射膜に高パワーのレーザビームを照射することによって、反射率を変化させている。それによって、レーザビームが照射された反射膜の箇所が例えばピットが形成されているのと同様の反射率を持つようにされる。それによってディスク毎に異なるシリアル番号等の個別情報を記録することができる。
【０００９】
【特許文献１】
特開２００１−１３５０２１号公報
【００１０】
【発明が解決しようとする課題】
従来では、１枚のディスクにオーディオ用ＣＤの領域とＣＤ−ＲＯＭの領域とを持つＣＤ−ＥＸＴＲＡの場合でも、図６に示すシステムのように、二つの領域の信号を１つのマスターに予め記録していた。ＣＤ−ＥＸＴＲＡの形式で、二つの領域の一方には、コピープロテクションがなされた音楽データを記録し、他方には、ＣＤ−ＲＯＭデータおよび個別情報を記録することが考えられる。この場合では、上述した個別情報を追加記録する場合には、追加記録領域が個別情報の元のデータとなっている必要があった。従って、図７に示すようなコピープロテクションＣＤエンコーダ２２が設けられているシステムの場合では、通常のＣＤエンコーダ１２（図６参照）を通った後に、追加記録領域が個別情報の元のデータとなるように設定することが困難であった。コピープロテクションＣＤエンコーダ２２の内部構成を変更することも考えられるが、コピープロテクションＣＤエンコーダ２２は、秘匿性を有するのが普通であり、その内部構成に手を加えることが困難であった。
【００１１】
さらに、ＣＤフォーマットで採用されているＥＦＭ変調は、Ｔmin（最小反転間隔）＝３で、Ｔmax（最大反転間隔）＝１１のランレングスリミット符号であり、また、ＤＳＶ(Digital Sum Variation)が収束するように、１４ビット同士の間に配される３ビットのマージビットが選択される。
【００１２】
ある特定のデータ系列は、通常のＥＦＭ変調を行うと、再生時にエラーが生じる可能性が高くなるほど、ＤＳＶが発散する。一方、通常のＥＦＭ変調と異なり、ランレングスリミットの条件を（Ｔmin＝２、Ｔmax＝１２）と緩やかにした変調方法で特定のデータ系列を変調すると、ＤＳＶが発散しない。このことを利用してコピープロテクションを行うことを本出願人が先に提案している。すなわち、マスタリングの時には、ランレングスリミットの条件を緩やかにした特殊な変調を行うことによって正常に再生できる光ディスクを作成する。この光ディスクをコピーしようとして通常のＥＦＭ変調を行ってＣＤ−Ｒに記録した時には、ＤＳＶが発散して正常にＣＤ−Ｒを再生できないようになる。かかるコピープロテクションを実施する場合には、通常のＥＦＭ変調と異なるＥＦＭ変調を行うＣＤエンコーダを必要とするので、コピープロテクションＣＤエンコーダ２２を使用できない問題があった。
【００１３】
したがって、この発明の目的は、コピープロテクションの秘密情報の開示を必要とせずに、ディスク固有の識別情報を追加記録することを可能とし、また、ＤＳＶを制御することによってコピープロテクションを行う方式に適用することができる信号送出装置およびマスタリング装置を提供することにある。
【００１４】
【課題を解決するための手段】
上述した課題を解決するために、請求項１の発明は、光ディスクの第１および第２の領域にそれぞれ記録されるディジタル信号を送出する信号送出装置において、
コピープロテクションがなされたディジタル信号を第１の領域に記録される第１のディジタル信号として送出する第１の信号系と、
アプリケーションソフトウェアのデータと、光ディスクの個別情報の元になる情報とからなるディジタル信号を第２の領域に記録される第２のディジタル信号として送出する第２の信号系と、
第１の信号系から送出される第１のディジタル信号と第２の信号系から送出される第２のディジタル信号とを第１および第２の領域の境界近傍で切り替える切り替え部と
からなる信号送出装置である。
【００１５】
請求項８の発明は、光ディスクの第１および第２の領域にそれぞれ記録されるディジタル信号を送出する信号送出装置において、
第１のコピープロテクションがなされたディジタル信号を第１の領域に記録される第１のディジタル信号として送出する第１の信号系と、
第１のコピープロテクションと異なる第２のコピープロテクションがなされたディジタル信号を第２の領域に記録される第２のディジタル信号として送出する第２の信号系と、
第１の信号系から送出される第１のディジタル信号と第２の信号系から送出される第２のディジタル信号とを第１および第２の領域の境界近傍で切り替える切り替え部と
からなる信号送出装置である。
【００１６】
請求項９の発明は、第１および第２の領域を有する光ディスクのマスタリング装置において、
コピープロテクションがなされたディジタル信号を第１の領域に記録される第１のディジタル信号として送出する第１の信号系と、
アプリケーションソフトウェアのデータと、光ディスクの個別情報の元になる情報とからなるディジタル信号を第２の領域に記録される第２のディジタル信号として送出する第２の信号系と、
第１の信号系から送出される第１のディジタル信号と第２の信号系から送出される第２のディジタル信号とを第１および第２の領域の境界近傍で切り替える切り替え部と、
切り替え部からの第１および第２のディジタル信号によって強度が変調されたレーザ光を感光記録媒体に照射する記録部と
からなるマスタリング装置である。
【００１７】
請求項１６の発明は、第１および第２の領域を有する光ディスクのマスタリング装置において、
第１のコピープロテクションがなされたディジタル信号を第１の領域に記録される第１のディジタル信号として送出する第１の信号系と、
第１のコピープロテクションと異なる第２のコピープロテクションがなされたディジタル信号を第２の領域に記録される第２のディジタル信号として送出する第２の信号系と、
第１の信号系から送出される第１のディジタル信号と第２の信号系から送出される第２のディジタル信号とを第１および第２の領域の境界近傍で切り替える切り替え部と、
切り替え部からの第１および第２のディジタル信号によって強度が変調されたレーザ光を感光記録媒体に照射する記録部と
からなるマスタリング装置である。
【００１８】
この発明では、コピープロテクションが施されて光ディスクの第１の領域に記録される第１のディジタル信号を発生する第１の信号系と、第２の領域に記録される第２のディジタル信号を発生する第２の信号系とを別々に備えている。したがって、コピープロテクションの処理を行うことによって、個別情報の元になる信号を記録できなくなったり、各領域に記録される信号毎に異なるコピープロテクションの処理を行うことができない問題が生じない。また、コピープロテクションのエンコーダに手を加える必要がなく、コピープロテクションの秘匿性を保持することができる。
【００１９】
【発明の実施の形態】
以下、この発明の一実施形態について説明する。一実施形態では、１枚のディスクにＣＤフォーマットのディジタルオーディオ信号とＣＤ−ＲＯＭフォーマットのディジタルデータとが記録される、ＣＤ−ＥＸＴＲＡに対してこの発明を適用したものである。なお、この発明は、ＣＤ−ＥＸＴＲＡ以外に、マルチセッション形の光ディスクに対しても適用できる。また、ディジタルオーディオ信号に限らず、ディジタルビジュアルデータ（動画または静止画データ）を扱う場合に対してもこの発明を適用することができる。
【００２０】
すなわち、光ディスクの第１セッションには、コピープロテクション処理がされたディジタルオーディオ信号が記録され、第２セッションには、ＣＤ−ＲＯＭデータ例えば第１セッションのディジタルオーディオ信号を圧縮・暗号化した圧縮オーディオ信号と、圧縮オーディオ信号をパーソナルコンピュータのハードディスクにコピーし、再生する再生用アプリケーションソフトウェアと、固有の識別番号（以下、ＰＩＤ(Postscribed ID:ソニー株式会社の商標）と適宜称する）とが記録されている。
【００２１】
ＰＩＤは、個々のディスクを識別するための情報である。個々のディスクを識別できれば良いので、番号以外の記号、文字等を使用しても良い。また、ＰＩＤは、所定の枚数のディスクを識別できれば良い。例えば同一のアプリケーションソフトウェアを記録した所定の枚数の光ディスクがＰＩＤによって識別される。ＰＩＤは、例えば既存のＣＤプレーヤまたはＣＤ−ＲＯＭドライブによって読み取ることが可能なように記録される。最初に、一実施形態の理解を容易とするために、ＰＩＤについて説明する。
【００２２】
図１は、既存のＣＤ−ＲＯＭの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤ−ＲＯＭには、下側からレーザ光が照射される。
【００２３】
レーザ光が当たる下側から順に、厚さ１．２mmの透明ディスク基板Ｌ１と、その上に被覆された反射膜Ｌ２と、反射膜Ｌ２に被覆された保護膜Ｌ３とが順に積層された構造とされている。反射膜Ｌ２は、高い反射率を持つものが使用される。ＣＤ−ＲＯＭは、読み出し専用ディスクであるが、後述するように、反射膜Ｌ２が被覆された後、または反射膜Ｌ２が被覆され、保護膜Ｌ３が被覆された後に、反射膜Ｌ２に対して高出力のレーザ光を使用してＰＩＤが追加記録される。
【００２４】
このようなＣＤ−ＲＯＭの製造工程の流れを図２を参照して説明する。ステップＳ１（マスタリングマスタの作成工程）では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００２５】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤ−ＲＯＭが製作されていた。
【００２６】
一方、図２の例では、反射膜（ミラー部例えばランド）に対して高出力のレーザ光を照射して、さらに、ＰＩＤを追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用してピット長またはランド長を変化させ、ＰＩＤを記録することができる。この場合、反射膜は、反射率がレーザ照射により変化する材料が使用される。反射率が低下するものに限らず、記録によって反射率が高くなる材料もある。
【００２７】
具体的には、アルミニウムの合金膜Ａｌ100-xＸxで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００２８】
また、反射膜をＡｇ100-xＸxのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００２９】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００３０】
図３は、ＰＩＤの追加記録の方法をより具体的に説明するための図である。記録データとピットおよびランドの対応の仕方は、前のパターンとの関係でパターンＡと、パターンＢとがありうる。
【００３１】
最初にパターンＡについて説明する。シンボル間に３ビットの例えばマージビット（０００）が挿入される。追加記録をする場合、８ビットのデータシンボルが例えば（０ｘ４７）とされる。０ｘは、１６進表記を意味する。この８ビットをＥＦＭ変調した結果の１４ビットのパターン（００１００１００１００１００）が図３に示されている。
【００３２】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００３３】
パターンＢの場合では、マージビットが（００１）となる。この場合も、パターンＡと同様に、斜線領域にレーザビームを照射することによって、８ビットを（０ｘ４７）から（０ｘ０７）へと変化させることができる。
【００３４】
上述したように、元々は、（０ｘ４７）であったデータシンボルを（０ｘ０７）へ書き換えることができる。この例以外にも追加記録できるデータの種類としては、多々存在する。例えば元々（０ｘ４０）であったデータシンボルを（０ｘ００）へ変化させることができる。このように、追加記録は、元々記録されているデータのミラー部に対してレーザを照射することによって、ピット長またランド長を変えるものであるので、追加記録できるデータの種類が制限される。
【００３５】
図３は、追加記録の一例であり、ＰＩＤを記録する方法としては、予め決めている区間で、意図的にＥＦＭエラーを生じさせ、ＥＦＭエラーの有無によってＰＩＤを追記する方法、エラー訂正符号によって訂正できないエラーを意図的に追記する方法等の種々の方法が可能である。
【００３６】
図４Ａは、一実施形態におけるディスク例えばＣＤ−ＥＸＴＲＡに記録されているデータ配置を示している。ディスクの内周側には、第１のリードインエリアＬＩと第１のリードアウトエリアＬＯとコピープロテクション処理を受けたディジタルオーディオ信号が記録された第１のプログラムエリアとからなる第１セッションが形成されている。第１のリードインエリアＬＩとプログラムエリアとの間にポーズ区間が設けられている。
【００３７】
第１セッションの外周側には、リードインエリアＬＩとリードアウトエリアＬＯとプログラムエリアからなる第２セッションが設けられている。第２セッションのプログラムエリアには、ＣＤ−ＲＯＭデータおよびＰＩＤが記録されている。第２セッションのリードインエリアＬＩとＲＯＭアプリケーションのデータの先頭の間に例えば２秒間のポーズ区間が設けられている。
【００３８】
第１セッションに記録されているディジタルオーディオ信号は、例えば既存のＣＤプレーヤによって再生することが可能な反面、パーソナルコンピュータによっては、再生・コピーが不可能とされている。通常、パーソナルコンピュータとＣＤ−Ｒ／ＲＷドライブとを使用してＣＤ−ＲへＣＤの情報がコピーされるので、パーソナルコンピュータによって再生不可能とすることによって、実質的にコピープロテクションを行うことができる。
【００３９】
第２セッションに記録されているＣＤ−ＲＯＭデータは、例えば第１セッションと同一のディジタルオーディオ信号を圧縮および暗号化したオーディオファイルと、このオーディオファイルをパーソナルコンピュータにコピーして再生するためのアプリケーションソフトウェアである。ＰＩＤは、インターネット経由で認証を行う時に必要な情報で有り、ＰＩＤを使用した認証が成功すると、パーソナルコンピュータのハードディスクにコピーした圧縮および暗号化オーディオデータの復号・再生が可能となる。
【００４０】
例えば図４Ａに示す光ディスクをパーソナルコンピュータのＣＤ−ＲＯＭドライブに挿入すると、自動的にアプリケーションが立ち上がり、再生用ソフトウェアがインストールされ、圧縮および暗号化されたオーディオファイルがパーソナルコンピュータのハードディスクにコピーされる。次に、インターネットを介してライセンス管理会社のホームページに対してアクセスがなされ、ライセンスダウンロード画面が表示される。画面の表示にしたがって手続きを進めていくと、音楽再生ソフトウェアが起動し、ライセンスのダウンロードが開始される。ライセンスのダウンロードが完了すると、音楽再生ソフトウェアによってハードディスクに取り込んだ音楽を再生することが可能となる。ライセンスのダウンロードの時にＰＩＤを使用して認証が行われる。なお、各セッションに記録されているデータは、一例であり、ＣＤ−ＲＯＭデータが第１セッションのオーディオデータと無関係のアプリケーションソフトウェア、ゲーム等のデータであっても良い。
【００４１】
図５は、上述したデータが記録されたＣＤ−ＥＸＴＲＡを作成するのに適用される一実施形態のマスタリング装置を示す。マスタリング装置は、第１セッションの記録データを発生する第１の信号系と、第２セッションの記録データを発生する第２の信号系とからなる。第１の信号系は、マスターリーダ１とコピープロテクションＣＤエンコーダ２とからなる。ＣＤエンコーダ２の出力信号がスイッチ部３の一方の入力端子ａと出力端子ｃとを介してカッティングシステム４に入力される。
【００４２】
マスターリーダ１は、マスタテープまたはＣＤ−Ｒのデータを再生し、マスターリーダ１からのマスター信号がコピープロテクションＣＤエンコーダ２に入力される。ＣＤエンコーダ２は、ＣＩＲＣと称されるエラー訂正符号化の処理と、サブコードの発生と、ＥＦＭ変調の処理と、コピープロテクションの処理とを行い、フレームシンク、サブコードを含むＣＤフォーマット信号を出力する。一例として、第１セッションのＣＤ信号は、民生用オーディオ機器によって再生できるが、パーソナルコンピュータによって再生不可能なコピープロテクションが施される。
【００４３】
第２の信号系は、マスターリーダ５とＰＩＤ用ＣＤエンコーダ６とからなる。マスタリーダ５は、ＣＤ−ＲＯＭデータとＰＩＤの元の信号とをＣＤエンコーダ６に対して出力する。ＰＩＤの元の信号とは、前述したように、追加記録の処理によって所定のＰＩＤとなる信号のことを意味する。ＣＤエンコーダ６は、マスタリーダ５からの信号に対してＣＩＲＣと称されるエラー訂正符号化の処理と、サブコードの発生と、ＥＦＭ変調の処理とを行い、フレームシンク、サブコードを含むＣＤフォーマット信号を出力する。ＣＤエンコーダ６の出力信号がスイッチ部３の一方の入力端子ｂと出力端子ｃとを介してカッティングシステム４に入力される。
【００４４】
スイッチ部３の出力信号が時間コードリーダ８に供給される。ＣＤフォーマットでは、サブコードのＱチャンネルに含まれている絶対時間コード（分、秒、フレーム）がディスク上の位置に対応している。二つのＣＤエンコーダ２および６は、互いに同期した絶対時間コードを発生し、出力信号中のＱチャンネルのサブコードに絶対時間コードを挿入している。したがって、時間コードリーダ８は、スイッチ部３の出力に含まれるＣＤフォーマットの信号を復号して絶対時間コードを読み取ることによって、第１セッション（第１の信号系）と第２セッション（第２の信号系）との切り替えを指示する制御信号を生成する。この制御信号によって、スイッチ部３の入力端子ａから入力端子ｂへ切り替えがなされる。
【００４５】
カッティングシステム４では、フォトレジストが塗布されたガラス原盤がターンテーブル上に置かれ、ターンテーブルが回転される。ガスレーザからのレーザビームが光変調器に入力され、光変調器において、スイッチ部３から入力された信号によってレーザビームの強度が変調される。強度変調されたレーザビームによってフォトレジストが露光される。さらに、図示を省略するが、フォトレジストの現像処理等によって、メタルマスターが作成され、さらに、スタンパが作成される。そして、スタンパを使用して射出成形法によってディスク基板が製造される。ディスク基板に対して反射膜が被覆され、さらに、保護膜が被覆されることによってＣＤ、ＣＤ−ＲＯＭが生産される。
【００４６】
参照符号７は、カッティングシステム４を制御するコントローラを示す。コントローラ７は、カッティングシステム４のみならず、マスターリーダ１および５を制御し、マスターの読み出しとカッティング動作とが同期するように制御される。すなわち、カッティングシステム４において、ガラス原盤が載せられたターンテーブルが適正な回転速度となり、レーザの照射位置が適正な箇所に移動し、マスターリーダ１および５の準備が整った時に、カッティングシステム４がコントローラ７に対してスタート信号を出力する。コントローラ７がマスターリーダ１および５に対して読み出し開始を指示する。
【００４７】
一例として、マスタリーダ１および５において再生されるマスタテープまたはマスタディスクには、自分のセッションのみならず、他方のセッションのデータまたはダミーデータが記録されており、各ＣＤエンコーダからは、ディスク全体にわたって記録される共通の絶対時間コードを含むディジタル信号が出力される。読み出しの開始した後に、コントローラ７の制御によって、マスターリーダ１とカッティングシステム４とが調相される。
【００４８】
コピープロテクションＣＤエンコーダ２の出力信号がスイッチ部３の端子ａ−ｃを介してカッティングシステム４に供給され、第１セッションのリードインエリア、プログラムエリアおよびリードアウトエリアが記録される。一例として、図４Ａにおいて矢印で示すように、スイッチ部３が第１セッションのリードインエリアの終端付近、またはポーズ区間で切り替えられ、スイッチ部３の端子ｂ−ｃが接続される。図４Ａに示す切り替えポイントは、第１セッションのコピープロテクションが第１セッションのＴＯＣまたはポーズ区間のみで完結する場合に適用される。後述するように、切り替えポイントは、図４Ａに示す以外にいくつかの位置に選定可能である。
【００４９】
これによってＣＤエンコーダ６からのＣＤ−ＲＯＭデータおよびＰＩＤの元になる信号がスイッチ部３を介してカッティングシステム４に供給され、第２セッションのリードインエリア、プログラムエリアおよびリードアウトエリアが記録される。ＰＩＤ用のＣＤエンコーダ６によって信号処理を行うので、ＰＩＤの元になる信号が意図しない信号に変更されることがなく、ＰＩＤを追加記録することができる。そして、ディスク基板を作成し、反射膜を被覆し、反射膜の被覆後、または保護膜の被覆後に追加記録を行うことで、図４Ａに示すようなデータ配置のＣＤ−ＥＸＴＲＡを作成することができる。
【００５０】
図４Ｂ、図４Ｃおよび図４Ｄは、それぞれスイッチ部３の切り替えポイントの他の三つの例を示す。図４Ｂの例では、第１セッションのリードアウトエリアの終端付近が切り替えポイントとされている。図４Ｃの例では、第２セッションのリードインエリアの終端部近傍が切り替えポイントとされている。図４Ｄの例では、第２セッションのＣＤ−ＲＯＭデータの開始位置の直前のデータが無い期間であるポーズ期間に切り替えポイントが選ばれている。図４Ｃおよび図４Ｄの例では、コピープロテクションＣＤエンコーダ２が第１セッションのデータに加えて第２セッションのリードインエリアのデータを送出する必要がある。
【００５１】
切り替えポイントの位置は、例えばコピープロテクションの方法等によって最適な位置が選択される。例えば第１セッションのコピープロテクションが第１セッションのＴＯＣまたはポーズ期間のみで完結する場合では、図４Ａに示すように、第１セッションのリードインエリアの終端付近、またはポーズ区間で切り替えることが最適である。第１セッションのコピープロテクションが第１セッションのみで完結する場合では、図４Ｂに示すように、第１セッションのリードアウトエリアの終端付近で切り替えることが最適である。第１セッションのコピープロテクションが第２セッションのＴＯＣにも関係している場合では、図４Ｃまたは図４Ｄに示すように、第２セッションのリードインエリアの終端付近、またはポーズ区間で切り替えることが最適である。これらの領域で、切り替えることは、ＣＤプレーヤなどに与える不具合の影響が一番少ない場所であるからである。
【００５２】
この発明は、上述したこの発明の一実施形態に限定されるものでは無く、この発明の要旨を逸脱しない範囲内で様々な変形や応用が可能である。例えば上述した説明では、第２セッションにＰＩＤを記録しているが、ＰＩＤを記録しないで第１セッションと異なるコピープロテクションの方法が適用されたＣＤ−ＲＯＭデータを記録するようにしても良い。例えばＤＳＶの変化を利用してコピープロテクションを行う方法を使用しても良い。
【００５３】
すなわち、ある特定のデータ系列は、通常のランレングスリミットの条件（Ｔmin＝３、Ｔmax＝１１）でＥＦＭ変調を行うと、再生時にエラーが生じる可能性が高くなるほど、ＤＳＶが発散する。一方、通常のＥＦＭ変調と異なり、ランレングスリミットの条件を（Ｔmin＝２、Ｔmax＝１２）と緩やかにした変調方法で特定のデータ系列を変調すると、ＤＳＶが発散しない。このことを利用してコピープロテクションを行うことが可能である。より具体的には、マスタリングの時には、ランレングスリミットの条件を緩やかにした特殊な変調を行うことによって正常に再生できる光ディスクを作成する。この光ディスクをコピーしようとして通常のＥＦＭ変調を行ってＣＤ−Ｒに記録した時には、ＤＳＶが発散して正常にＣＤ−Ｒを再生できないようになり、コピープロテクションを行うことができる。
【００５４】
【発明の効果】
以上の説明から明らかなように、この発明によれば、少なくとも二つのセッションを有する光ディスクに対して記録されるディジタル信号を別々の信号系によって発生することができる。したがって、コピープロテクションの処理がされたディジタル信号を記録する場合でも、コピープロテクションに関する秘密の情報を開示する必要がなく、二つの信号を組み合わせることができる。また、この発明は、既存の信号系と組み合わせたり、新規に開発されたエンコード技術を容易に応用できる等の利点がある。
【図面の簡単な説明】
【図１】従来のＣＤの記録パターンとＣＤの構造を説明するための略線図である。
【図２】この発明の一実施形態におけるディスクの製造工程を説明するための略線図である。
【図３】この発明の一実施形態における追加記録の説明に用いる略線図である。
【図４】この発明の一実施形態における光ディスクのデータ配置と信号切り替えポイントのいくつかの例を示す略線図である。
【図５】この発明の一実施形態におけるマスタリング装置のブロック図である。
【図６】従来のマスタリング装置の一例のブロック図である。
【図７】従来のマスタリング装置の他の例のブロック図である。
【符号の説明】
Ｌ２・・・反射膜、１，５・・・マスターリーダ、２・・・コピープロテクションＣＤエンコーダ、３・・・スイッチ部、４・・・カッティングシステム、６・・・ＰＩＤ用ＣＤエンコーダ
【図１】
2004206786.tif 000003
【図２】
2004206786.tif 000004
【図３】
2004206786.tif 000005
【図４】
2004206786.tif 000006
【図５】
2004206786.tif 000007
【図６】
2004206786.tif 000008
【図７】
2004206786.tif 000009